(57)【要約】【課題】簡単な構造でありながら、前後の商品収納部同士の位置決めを、多くの手間や時間をかけることなく容易に行え、自動販売機の運搬時に、商品収納部が支持ガイドレールから浮き上がったり一部が損傷したりしない自動販売機の商品収納装置を提供する。【解決手段】自動販売機本体内に、前後方向に移動自在でかつ着脱自在の商品収納部１７が、前後方向に延びる支持ガイドレール１３に沿って吊下げられた状態で、前後方向に複数並べられて配設された自動販売機において、商品収納部１７の側面部をなす側板１４における商品収納部１７同士が隣接する辺の箇所に、前後方向に凹凸となって互いに嵌り合う凹部１７ａ’、１７ａと凸部１７ｂとを一体形成し、前側の商品収納部１７Ａの側板１４の一部をねじなどの固定用部品１９で、自動販売機本体のケース部に結合したケース結合部材２０に固定した。【選択図】図５
2008257480.tif 000002
【特許請求の範囲】
【請求項１】
自動販売機本体内に、前後方向に移動自在でかつ着脱自在の商品収納部が、前後方向に延びる支持ガイドレールに沿って吊下げられた状態で、前後方向に複数並べられて配設された自動販売機であって、商品収納部の側面部をなす側板における商品収納部同士が隣接する辺の箇所に、前後方向に凹凸となって互いに嵌り合う凹部と凸部とを一体形成し、前側の商品収納部の側板の一部を、固定用部品で、自動販売機本体のケース部またはケース部に結合したケース結合部材に固定したことを特徴とする自動販売機の商品収納装置。
【請求項２】
固定用部品が固定用のねじであり、この固定用のねじにより、前側の商品収納部の側板の下部を、自動販売機本体のケース部またはケース部に結合したケース結合部材に固定したことを特徴とする請求項１に記載の自動販売機の商品収納装置。
【請求項３】
商品収納部の側板に、支持ガイドレールの摺動部に係合する係合レール部を形成し、支持ガイドレールの前端部に、商品収納部が前側に移動することを規制する規制用上延部を前記摺動部よりも上方に突出するように形成し、商品収納部を外部から自動販売機本体内に導入する際には、前記規制用上延部を乗り越えさせて導入することで、支持ガイドレールの摺動部に係合するように構成し、前側の商品収納部に後方から隣接する商品収納部の側板における前辺部の凹部の上面部分と、この凹部内に嵌り合う凸部の上面部分との間に、前記規制用上延部の乗り越え代以上の上下方向の隙間を形成したことを特徴とする請求項１または２に記載の自動販売機の商品収納装置。
【請求項４】
商品収納部の側板に、支持ガイドレールの摺動部に係合する係合レール部を形成し、支持ガイドレールの前端部に、商品収納部が前側に移動することを規制する規制用上延部を前記摺動部よりも上方に突出するように形成し、商品収納部を外部から自動販売機本体内に導入する際には、前記規制用上延部を乗り越えさせて導入することで、支持ガイドレールの摺動部に係合するように構成し、前側の商品収納部の側板における後辺部の凹部の下面部分と、この凹部内に嵌り合う凸部の下面部分との間に、前記規制用上延部の乗り越え代以上の上下方向の隙間を形成したことを特徴とする請求項１または２に記載の自動販売機の商品収納装置。
【発明の詳細な説明】
【技術分野】
【０００１】
本発明は自動販売機の商品収納装置、特に商品収納装置を構成する商品収納部の位置決め構造に関する。
【背景技術】
【０００２】
略上方から下方に蛇行状に延びる収納搬送路に商品を収納して下方に送り、下端の商品を順次払い出す、いわゆるサーペンタイン式の自動販売機は既に知られている。この種の自動販売機の商品収納装置においては、前面扉を開閉自在に支持する自動販売機本体の上部前面側（手前の面側）に商品を投入する投入口が設けられるとともに、この投入口が設けられている前面側箇所から奥側の収納搬送路における上端の入口部分に向けて斜め下方に傾斜する傾斜導入路が設けられている。上下に延びる収納搬送路は、奥行方向（前後方向）に対して例えば６列（または４列）設けられ、これに対応して、傾斜導入路も上下に対して例えば５列（または３列）設けられ（なお、最も手前の収納搬送路には傾斜導入路が設けられずに、収納搬送路の上端部が直接開口されている）、より上方側の傾斜導入路ほど長めに形成され、より奥側の収納搬送路に接続されている。これらの収納搬送路および傾斜導入路からなる商品収納ユニットは、左右にも複数列設けられ、これにより自動販売機の商品収納装置が構成されている。
【０００３】
商品収納ユニットは、特許文献１等に開示されているように、自動販売機本体の天井部下面において前後方向に延びる姿勢で取り付けられた支持ガイドレールに沿って、前後に摺動可能な状態で吊下げられて取り付けられている。商品収納ユニットは、その側面部をなす左右一対の側板の間に、円弧状の案内ガイド（いわゆるセグメント）が対向するように上下に多数並べられて収納搬送路が形成されるとともに、奥側ほど下方となるよう斜めに傾斜する正面視略樋状（または正面視略Ｌ字形状）の商品投入ガイドが取り付けられて傾斜導入路が形成されている。また、収納搬送路の下端部には、前後に隣り合う収納搬送路間に払出装置が配設されて、払出装置から収納搬送路内に突出自在のストッパを用いて下端の商品が１つずつ払い出されるよう構成され、これらの一対の側板、多数の案内ガイド、および上下複数段の商品投入ガイドなどにより、複数列の収納搬送路および傾斜導入路を有する１組の商品収納ユニットが構成されている。
【０００４】
１組の商品収納ユニットは、そのままの状態では多数の商品が収納されて大重量となるとともに、奥行方向中央の収納搬送路などで、商品詰まりなどを生じた場合に対処できないので、一般に、前後方向に複数に分割可能に構成されている。すなわち、前後方向に複数分割された商品収納部が支持ガイドレールに沿って並べられて位置決めされることで商品収納ユニットが構成されるようになっており、一般に商品収納部は、前後方向に隣り合う２列の収納搬送路と、上下複数段の商品投入ガイドが前後方向に分割されたもので構成されている。したがって、例えば、６列の収納搬送路および５列の傾斜導入路を有するものの場合には、前側商品収納部と、中間商品収納部と、後側商品収納部とに分割されて構成され、自動販売機本体内に組付ける際には、後側商品収納部、中間商品収納部、前側商品収納部の順で、支持レールに吊下げて装着してゆき、これらの商品収納部を前後に連結するなどして商品収納ユニットを構成している。
【０００５】
なお、前記引用文献１には、商品収納部の側板に、支持ガイドレールの摺動部に係合する係合レール部を形成し、支持ガイドレールの前端部に、商品収納部が手前側に移動することを防止する規制用上延部を、前記摺動部よりも上方に突出するように形成した構造が開示されている。この構成によれば、商品収納部を外部から自動販売機本体内に導入する際に、前記規制用上延部を乗り越えさせて導入し、全ての商品収納部を支持ガイドレールの摺動部に係合するように一旦導入すると、支持ガイドレールの前端部に形成した規制用上延部によって、商品収納部が手前側に移動することが規制される。この構成によれば、自動販売機を一旦設置した後（通常の使用時）には、商品収納部が不用意に前側に移動することを防止できて信頼性が向上する。
【０００６】
また、例えば、特許文献２等に開示されているように、商品収納部（前側商品収納部、中間商品収納部、後側商品収納部）は、自動販売機を設置した状態で互いの相対位置（主として上下方向の相対位置）がずれないように、位置決めされている。前記特許文献２では、図９に示すように、側面部をなす側板５１の下部における商品収納部５０Ａ、５０Ｂ、５０Ｃ同士が隣りあう箇所に、Ｕ字状の溝部を有する係止部材５２と、側板５１の外側から内側に向けて挿脱可能で、前記係止部材５２の溝部に嵌入可能なスナップピン５３とをそれぞれ取り付け、また、側板５１の上部における中間商品収納部５０Ｂと後側商品収納部５０Ｃとが隣りあう箇所に、互いに前後に接する係止用部材５４、５５を取り付け、これらの係止部材５４、５５同士をビス５６で固定することで、全ての商品収納部５０Ａ、５０Ｂ、５０Ｃ同士が位置規制されて一体化されるように構成している。
【特許文献１】特開２００３−２７２０４３公報
【特許文献２】実願昭６２−９５５２１号のマイクロフィルム（実開昭６４−１７６号公報）
【発明の開示】
【発明が解決しようとする課題】
【０００７】
しかしながら、特許文献２に示されているような従来の自動販売機の各商品収納部５０Ａ、５０Ｂ、５０Ｃ同士の固定構造（位置規制構造）では、各商品収納部５０Ａ、５０Ｂ、５０Ｃ同士を位置規制するために、係止部材５２やスナップピン５３、係止用部材５４、５５の多数の部品が必要となって、製造コストの増加を招いていた。また、分割したり固定したりする際には、スナップピン５３やビス５６の着脱作業が必要であり、特に、ビス５６は奥側の箇所に取り付けられているため、このビス５６を取り外したり、ねじ込んだりする動作は極めて行い難く、多くの手間や時間が必要となっており、さらに、ビスの装着時や取り外しの際に、ビス５６を内部に落としてしまうおそれも多く、極めて作業性が悪かった。
【０００８】
また、特許文献２に示されている構成を適用しただけでは、各商品収納部５０Ａ、５０Ｂ、５０Ｃ同士の相対位置を規制（位置決め）することはできるが、特許文献１に示すように、これらの商品収納部５０Ａ、５０Ｂ、５０Ｃ（すなわち商品収納ユニット）が支持ガイドレールに吊下げられた構造である場合、自動販売機の運搬時などに、商品収納ユニット全体が、支持ガイドレールから大きく浮き上がって外れてしまったり、外れかかって一部が損傷したり変形したりするおそれがあった。
【０００９】
また、特許文献１に開示されているように、支持ガイドレールの前端部に、商品収納部が手前側に移動することを規制する規制用上延部を形成した構成を採用した場合には、どのようにすれば、商品収納部同士を良好に位置決めしたり、固定したりできるかが問題となる。
【００１０】
本発明は上記不具合や問題を解決するもので、簡単な構造でありながら、前後の商品収納部同士の位置決めを、多くの手間や時間をかけることなく容易に行うことができ、さらに、自動販売機の運搬時などに、商品収納部が支持ガイドレールから浮き上がって外れたり一部が損傷したりすることのない自動販売機の商品収納装置を提供することを目的とするものである。
【課題を解決するための手段】
【００１１】
上記課題を解決するために本発明の自動販売機の商品収納装置は、自動販売機本体内に、前後方向（自動販売機本体の奥行方向）に移動自在でかつ着脱自在の商品収納部が、前後方向に延びる支持ガイドレールに沿って吊下げられた状態で、前後方向に複数並べられて配設された自動販売機であって、商品収納部の側面部をなす側板における商品収納部同士が隣接する辺の箇所に、前後方向に凹凸となって互いに嵌り合う凹部と凸部とを一体形成し、前側の商品収納部の側板の一部を、ねじなどの固定用部品で、自動販売機本体のケース部またはケース部に結合したケース結合部材に固定したことを特徴とする。
【００１２】
この構成により、支持ガイドレールに沿って、後側の商品収納部から順に自動販売機本体内に収納させるだけで、側板に形成された凹部と凸部とが互いに嵌りあって、容易にかつ能率的に各商品収納部同士の位置を規制（互いの商品収納部同士の上下の相対位置を固定）できる。また、自動販売機の運搬時などには、前側の商品収納部を、ねじなどの固定用部品で自動販売機本体のケース部またはケース結合部材に固定することで、全ての商品収納部を、自動販売機本体のケース部に対して位置規制（固定）することができ、支持ガイドレールからの浮き上がりを防止することができる。また、固定用部品は前側の商品収納部の側板に対して取り付けるので、固定用部品の取り付け動作を容易に行うことができて、その際の手間や時間も最小限に済ますことができる。さらに、上記構成によれば、側板に凹部と凸部とを形成し、他の部品としては１つの固定用部品およびケース結合部材を要するだけなので、製造コストの増加も最小限に抑えられる。
【００１３】
また、本発明は、固定用部品が固定用のねじであり、この固定用のねじにより、前側の商品収納部の側板の下部を、自動販売機本体のケース部またはケース部に結合したケース結合部材に固定したことを特徴とする。
【００１４】
この構成により、簡単な構成で、全ての商品収納部を位置規制することができ、製造コストの増加も最小限に抑えられる。
また、本発明は、商品収納部の側板に、支持ガイドレールの摺動部に係合する係合レール部を形成し、支持ガイドレールの前端部に、商品収納部が前側に移動することを規制する規制用上延部を前記摺動部よりも上方に突出するように形成し、商品収納部を外部から自動販売機本体内に導入する際には、前記規制用上延部を乗り越えさせて導入することで、支持ガイドレールの摺動部に係合するように構成し、前側の商品収納部に後方から隣接する商品収納部の側板における前辺部の凹部の上面部分と、この凹部内に嵌り合う凸部の上面部分との間に、前記規制用上延部の乗り越え代以上の上下方向の隙間を形成したことを特徴とする。
【００１５】
この構成により、支持ガイドレールに沿って、後側の商品収納部から順に自動販売機本体内に収納させ、最後に、前側の商品収納部を自動販売機本体内に収納するに際し、前側の商品収納部に後方から隣接する商品収納部の側板における前辺部の凹部の上面部分と、この凹部内に嵌り合う凸部の上面部分との間に、前記規制用上延部の乗り越え代以上の上下方向の隙間を形成しているので、前側の商品収納部を、商品収納部が前方に移動することを規制する規制用上延部を乗り越えるようにして自動販売機本体内に導入させた際に、支障無く、前側の商品収納部とこれに隣接する商品収納部の側板との凹部と凸部とを良好に嵌り合わせることができる。そして、この後、前側の商品収納部をその係合レールが支持ガイドレールの摺動部に係合するように規制用上延部を越えて奥側に落とし込むことで、各商品収納部が前方に移動することを良好に規制することができる。なお、この後は、前側の商品収納部を、ねじなどの固定用部品で自動販売機本体のケース部またはケース結合部材に固定することで、全ての商品収納部を自動販売機本体のケース部に対して固定することができて、支持ガイドレールからの浮き上がりを防止することができる。
【００１６】
また、本発明は、商品収納部の側板に、支持ガイドレールの摺動部に係合する係合レール部を形成し、支持ガイドレールの前端部に、商品収納部が前側に移動することを規制する規制用上延部を前記摺動部よりも上方に突出するように形成し、商品収納部を外部から自動販売機本体内に導入する際には、前記規制用上延部を乗り越えさせて導入することで、支持ガイドレールの摺動部に係合するように構成し、前側の商品収納部の側板における後辺部の凹部の下面部分と、この凹部内に嵌り合う凸部の下面部分との間に、前記規制用上延部の乗り越え代以上の上下方向の隙間を形成したことを特徴とする。
【００１７】
この構成により、支持ガイドレールに沿って、後側の商品収納部から順に自動販売機本体内に収納させ、最後に、前側の商品収納部を自動販売機本体内に収納するに際し、前側の商品収納部の側板における後辺部の凹部の下面部分と、この凹部内に嵌り合う凸部の下面部分との間に、前記規制用上延部の乗り越え代以上の上下方向の隙間を形成しているので、前側の商品収納部を、商品収納部が前方に移動することを規制する規制用上延部を乗り越えるようにして自動販売機本体内に導入させた際に、支障無く、前側の商品収納部とこれに隣接する商品収納部の側板との凹部と凸部とを良好に嵌り合わせることができる。そして、この後、前側の商品収納部をその係合レールが支持ガイドレールの摺動部に係合するように規制用上延部を越えて奥側に落とし込むことで、各商品収納部が前方に移動することを良好に規制することができる。なお、この後は、前側の商品収納部を、ねじなどの固定用部品で自動販売機本体のケース部またはケース結合部材に固定することで、全ての商品収納部を自動販売機本体のケース部に対して固定することができて、支持ガイドレールからの浮き上がりを防止することができる。
【発明の効果】
【００１８】
本発明によれば、商品収納部の側面部をなす側板における商品収納部同士が隣接する辺の箇所に、前後方向に凹凸となって互いに嵌り合う凹部と凸部とを一体形成したことにより、極めて容易にかつ能率的に各分割商品収納ユニットを固定でき、作業能率が向上する。また、前側の商品収納部の側板の一部をねじなどの固定用部品で、自動販売機本体のケース部またはケース部に結合したケース結合部材に固定することにより、ねじなどの１つの固定用部品で全ての商品収納部を自動販売機本体のケース部に対して固定することができるとともに支持ガイドレールからの浮き上がりも防止することができ、固定用部品は前側の商品収納部の側板に対して取り付けるので、固定用部品の取り付け動作を容易に行うことができて、その際の手間や時間も最小限に済ますことができ、作業能率も良好である。また、商品収納部以外には、１つの固定用部品やケース結合部材だけを設けるだけで済むので、製造コストを安価に抑えることができる。
【００１９】
また、支持ガイドレールの前端部に、商品収納部の自動販売機本体への収納時に、商品収納部が前方に移動することを規制する規制用上延部を形成し、前側の商品収納部に後方から隣接する商品収納部の側板における前辺部の凹部の上面部分と、この凹部内に嵌り合う凸部の上面部分との間に、前記規制用上延部の乗り越え代以上の上下方向の隙間を形成したり、前側の商品収納部の側板における後辺部の凹部の下面部分と、この凹部内に嵌り合う凸部の下面部分との間に、前記規制用上延部の乗り越え代以上の上下方向の隙間を形成したりすることにより、前側の商品収納部とこれに隣接する商品収納部の側板との凹部と凸部とを支障無く良好に嵌り合わせることができる。そして、この後、前側の商品収納部をその係合レールが支持ガイドレールの摺動部に係合するように規制用上延部を越えて奥側に落とし込むことで、各商品収納部が前方に移動することを良好に規制することができる。
【発明を実施するための最良の形態】
【００２０】
以下、本発明の実施の形態を図面を参照しながら説明する。図１は本発明の実施の形態に係る自動販売機の側面断面図、図２は同自動販売機の前面扉および内扉を開けた状態の斜視図、図３は同自動販売機の商品収納部の側面断面図、図４は同自動販売機の支持ガイドレールと係合レール部との要部斜視図、図５は同自動販売機の商品収納ユニットおよびその近傍箇所の側面図、図６は、同自動販売機の商品収納部を組付ける途中の状態を示す側面図である。
【００２１】
図１に示すように、この実施の形態の自動販売機においても、収納搬送路５が前後方向に複数列形成されており、収納搬送路５は、略上方から下方に蛇行状に延びて、商品３を収納して下方に送るように配設され、後述する商品払出装置９により、下端の商品３が順次払い出されるように構成されている。
【００２２】
すなわち、図１、図２に示すように、前面扉１を開閉自在に支持する自動販売機本体２の上部前面側（手前の面側）に、商品３を投入する投入口４が設けられるとともに、この投入口４が設けられている前面側箇所から奥側の収納搬送路５における上端の入口部分に向けて斜め下方に傾斜する傾斜導入路６が設けられている。この実施の形態の自動販売機では、上下に延びる収納搬送路５は、奥行方向（前後方向）に対して６列設けられ、これに対応して、傾斜導入路６も上下方向に対して５列設けられている（最も手前の収納搬送路５には傾斜導入路６が設けられずに、収納搬送路５の上端部が直接開口されている）。そして、上方側の傾斜導入路６ほど長めに形成されて奥側の収納搬送路５に接続されている。これらの収納搬送路５および傾斜導入路６からなる商品収納ユニット７は、左右にも複数列（この実施の形態では、図２に簡略的に示すように４列）設けられ、これにより自動販売機の商品収納装置が構成されている。
【００２３】
なお、図１、図２において、８は断熱構造をなすケース部としての内箱で、この内箱８内に商品収納装置が配設されている。また、９は、前後に隣接する収納搬送路５の下端部間にそれぞれ配設されている商品払出装置で、収納搬送路５の下端部から商品３を一つずつ排出する。１０は、排出された商品３を、前面扉１の下部に設けられた商品取出口１１に案内するシュート、１２は、内箱８の前面開口部８ａを開閉する内扉である。
【００２４】
図３などにも示すように、商品収納ユニット７は、自動販売機本体２の天井部（内箱８の天井部でもある）２ａの下面において前後方向に延びる姿勢で取り付けられている支持ガイドレール１３に沿って、前後に摺動可能な状態で吊下げられて取り付けられている。収納搬送路５は、商品収納ユニット７の側面部をなす左右一対の側板１４の間に、円弧状の案内ガイド（いわゆるセグメント）１５が対向するように上下に多数並べられて形成される。傾斜導入路６は、左右一対の側板１４間において、奥側ほど下方となるよう斜めに傾斜する正面視略樋状の商品投入ガイド１６が取り付けられて形成されている。また、上述したように、収納搬送路５の下端部には、前後に隣り合う収納搬送路５間に商品払出装置９が配設されている。そして、これらの一対の側板１４、多数の案内ガイド１５、および上下複数段の商品投入ガイド１６などにより、前後に複数列（この実施の形態では６列）の収納搬送路５および上下に複数列の傾斜導入路６を有する１組の商品収納ユニット７が構成されている。
【００２５】
１組の商品収納ユニット７は、そのままの状態では多数の商品３が収納されて大重量となるとともに、奥行方向中央の収納搬送路５などで、商品詰まりなどを生じた場合に、係員などの手が届かず、メンテナンス等の対処ができないので、前後方向（奥行方向）に複数に分割可能に構成されている。この実施の形態でも、１組の商品収納ユニット７は前後方向に３分割された商品収納部１７（前側商品収納部１７Ａ、中間商品収納部１７Ｂ、後側商品収納部１７Ｃ）により構成されている。そして、前後方向に３分割された商品収納部１７（１７Ａ〜１７Ｃ）が支持ガイドレール１３に沿って前後に位置決めされて配設されることで商品収納ユニット７が形成されている。各商品収納部１７は、前後方向に隣り合う２列の収納搬送路５と、上下複数段の商品投入ガイド１６を前後方向に対して分割したもの等で構成されている。なお、商品投入ガイド１６の分割・連結構造については、例えば、本出願人が出願した特開２００３−１８７３０７号公報等を参照されたい。ただし、商品投入ガイド１６を前後方向に必ずしも分割したものを用いなくてもよく、各商品収納部１７を前後方向に並べられて位置決めした状態で、分割されていない商品投入ガイド１６を着脱する構成を採用してもよい（図１においては、商品投入ガイド１６の分割部分については図示していない）。
【００２６】
次に、各商品収納部１７の支持ガイドレール１３に対する吊下げ係止構造について、説明する。
図３、図４等に示すように、支持ガイドレール１３は、自動販売機本体２の天井部（内箱８の天井部でもある）２ａの下面において、平面視して各商品収納部１７の側板１４に略対応する箇所に、前後方向に延びる姿勢でねじ等により取り付けられ、下部が正面視して断面略Ｕ字状に形成されている。また、各側板１４の上端部には正面視して逆断面Ｕ字形状の係合レール部１４ａが一体形成され、係合レール部１４ａの上端の湾曲部分が支持ガイドレール１３のＵ字形状の先端部分である摺動部１３ａに摺接した状態で前後方向にスライド可能に配設されている。
【００２７】
ただし、図４に示すように、支持ガイドレール１３の前端部には、前記摺動部１３ａよりも寸法Ｌ１だけ上方に突出する規制用上延部１３ｂを形成しており、商品収納部１７を外部から自動販売機本体２（内箱８）内に導入する際には、側板１４の係合レール部１４ａを、前記規制用上延部１３ｂ上に乗り越えさせて導入する。一方、一旦、全ての商品収納部１７が支持ガイドレール１３の摺動部１３ａに沿う位置まで導入されて収納されると、各商品収納部１７が前方に移動しようとした場合でも、前側商品収納部１７Ａの係合レール部１４ａの前端が、規制用上延部１３ｂの背面に当接し、各商品収納部１７が手前側に移動することを規制するようになっている。
【００２８】
なお、この実施の形態では、支持ガイドレール１３の後端部にも、摺動部１３ａよりも上方に突出する規制用補助上延部１３ｃが一体形成され、これにより、全ての商品収納部１７が支持ガイドレール１３に沿った状態で一旦導入されて収納されると、商品収納部１７が後方に移動しようとした場合でも、後側商品収納部１７Ｃの係合レール部１４ａの後端が、規制用補助上延部１３ｃの前面に当接し、商品収納部１７が奥側に移動することを規制するようになっている。なお、これに限るものではなく、支持ガイドレール１３の後端部に規制用補助上延部１３ｃを設けずに、後側商品収納部１７Ｃの係合レール部１４ａの後端が、自動販売機本体２（内箱８）の背面部２ｂの内面に当接して位置規制されるよう構成してもよい。
【００２９】
さらに、本発明においては、図５に示すように、商品収納部１７の側面部をなす側板１４における商品収納部１７同士が隣接する辺の箇所に、前後方向に凹凸となって互いに嵌り合う凹部１７ａと凸部１７ｂとを一体形成している。具体的には、後側商品収納部１７Ｃの各側板１４における前辺部の上下３箇所に凹部１７ａを一体形成し、この凹部１７ａに嵌り合う凸部１７ｂを、中間商品収納部１７Ｂの側板１４における後辺部の上下３箇所に形成し、また、中間商品収納部１７Ｂの側板１４における前辺部の上下３箇所に凹部１７ａ’を一体形成し、この凹部１７ａに嵌り合う凸部１７ｂを、前側商品収納部１７Ａの側板１４における後辺部の上下３箇所に形成している。
【００３０】
ここで、凹部１７ａと凸部１７ｂとは略台形形状とされ、上面部と下面部とに末広がりの傾斜面が形成されて互いに当接するようになっている。しかしながら、中間商品収納部１７Ｂの側板１４における前辺部の上下３箇所に形成された凹部１７ａ’は、これに対応する前側商品収納部１７Ａの側板１４における後辺部の凸部１７ｂよりも、上方に隙間１８を有するように大きく形成されている。つまり、この凹部１７ａ’の上面部分と、この凹部１７ａ’内に嵌り合う凸部１７ｂの上面部分との間に、支持ガイドレール１３の前端部に形成された規制用上延部１３ｂの乗り越え代（寸法Ｌ１：図４参照）よりも少しだけ大きい寸法Ｌ２（図５参照）の上下方向の隙間１８が設けられるように形成されている。
【００３１】
また、図３に示すように、前側商品収納部１７Ａの側板１４（この実施の形態では、片側の側板１４の外面側）の前辺部下端は、固定用部品としての固定ねじ１９で、自動販売機本体２のケース部としての内箱８における両側の側面前部２ｃ間を左右に横切るように結合されたケース結合部材２０に固定されている。なお、この実施の形態では、ケース結合部材２０における各側板１４の前辺部下端近傍箇所に、後方に突出するフランジ部２０ａがケース結合部材２０に一体形成されており、このケース結合部材２０のフランジ部２０ａと、各側板１４の前辺部下端に固定ねじ１９で結合されているが、この構造に限るものではない。
【００３２】
上記構成において、製造組付け時や、メンテナンス終了時等において、各商品収納部１７を自動販売機本体２（内箱８）内に組付ける際には、図２に示すように、前面扉１および内扉１２を開けた状態で、支持ガイドレール１３にその係合レール部１４ａが沿うよううにしながら、後側商品収納部１７Ｃ、中間商品収納部１７Ｂ、前側商品収納部１７Ａの順で自動販売機本体２内に収納させる。つまり、まず、後側商品収納部１７Ｃを、その側板１４の係合レール部１４ａが、支持ガイドレール１３の前端部の規制用上延部１３ｂを乗り越えるようにしながら、支持ガイドレール１３の摺動部１３ａ上まで導入して摺接させ、次に、中間商品収納部１７Ｂを、その側板１４の係合レール部１４ａが、支持ガイドレール１３の前端部の規制用上延部１３ｂを乗り越えるようにしながら、支持ガイドレール１３の摺動部１３ａ上まで導入して摺接させて奥側に移動させる。このように、後側商品収納部１７Ｃを奥側の正規位置まで押し込み、次いで中間商品収納部１７Ｂを後側商品収納部１７Ｃの手前の正規位置まで押し込むことで、後側商品収納部１７Ｃにおける側板１４の前辺部に形成された凹部１７ａに、中間商品収納部１７Ｂの側板１４における後辺部に形成された凸部１７ｂが嵌り合う。
【００３３】
さらに、前側商品収納部１７Ａを、その側板１４の係合レール部１４ａが、支持ガイドレール１３の前端部の規制用上延部１３ｂを乗り越えるようにしながら、奥側に移動させる。この場合に、前側商品収納部１７Ａの側板１４の係合レール部１４ａは、中間商品収納部１７Ｂの側板１４の係合レール部１４ａよりも、乗り越え代（寸法Ｌ１）分だけ、高い位置のまま後方へ移動するが、中間商品収納部１７Ｂの側板１４の前辺部に形成された凹部１７ａ’は、これに対応する前側商品収納部１７Ａの側板１４における後辺部の凸部１７ｂよりも、規制用上延部１３ｂの乗り越え代（寸法Ｌ１）よりも少しだけ大きい上下方向の隙間１８を有するように大きく形成されているので、図６に示すように、中間商品収納部１７Ｂの側板１４の前辺部に形成された凹部１７ａ’内に、前側商品収納部１７Ａの側板１４における後辺部の凸部１７ｂが、支障無く良好に嵌り込むことができる。
【００３４】
さらに、前側商品収納部１７Ａを、その係合レール部１４ａが規制用上延部１３ｂを越えるまで正規位置に移動させることで、この係合レール部１４ａが、支持ガイドレール１３の摺動部１３ａ上に落とし込まれる。すなわち、図５に示すように、中間商品収納部１７Ｂの側板１４の前辺部に形成された凹部１７ａ’の下面部の傾斜面が、前側商品収納部１７Ａの側板１４における後辺部の凸部１７ｂの下面部の傾斜面に、当接または極めて近接した状態で、凹部１７ａ’内に凸部１７ｂが嵌め合わされ、また、前側商品収納部１７Ａの係合レール部１４ａの前端部が、支持ガイドレール１３の前端部に形成された規制用上延部１３ｂの背面部分に当接または近接した状態となる。
【００３５】
また、自動販売機の運搬時などには、さらに、前側商品収納部１７Ａにおける側板１４の前辺部下端を、固定用部品としての固定ねじ１９で、ケース結合部材２０に固定する。なお、図６における１４ａは、側板１４の前辺部下端に形成された、固定ねじ１９の先端がねじ込まれるねじ孔である。
【００３６】
これにより、自動販売機の運搬時などに、自販機全体が上下振動等を強く受けることがあっても、前側商品収納部１７Ａは、固定ねじ１９でケース結合部材２０を介して内箱８（自動販売機本体２）に固定されているので、支持ガイドレール１３に対して、上方に浮き上がることが阻止され、良好に位置規制される。また、中間商品収納部１７Ｂについても、この中間商品収納部１７Ｂの側板１４の前辺部に形成された凹部１７ａ’の下面部に形成された傾斜面１７ｃが、前側商品収納部１７Ａの側板１４の後辺部に形成された凸部１７ｂの下面部の傾斜面１７ｄに当接することで、支持ガイドレール１３に対して、中間商品収納部１７Ｂが上方に浮き上がることが阻止され、良好に位置規制される。さらに、後側商品収納部１７Ｃについても、この後側商品収納部１７Ｃの側板１４の前辺部に形成された凹部１７ａの下面部に形成された傾斜面１７ｃが、中間商品収納部１７Ｂの側板１４の後辺部に形成された凸部１７ｂの下面部の傾斜面１７ｄに当接し、この結果、支持ガイドレール１３に対して、後側商品収納部１７Ｃが上方に浮き上がることが阻止され、良好に位置規制される。また、この場合に、側板１４の互いに隣接する辺に形成された凹部１７ａ’、１７ａと凸部１７ｂとが複数（この実施の形態では３つ）設けられていることで、各凹部１７ａ’、１７ａおよび凸部１７ｂに力が分散され、良好に位置規制することができる。
【００３７】
また、運搬時の振動等により、自動販売機に対して前後方向に力が作用して、各商品収納部１７の少なくとも１つが前方に移動しようとした場合でも、前側商品収納部１７Ａの側板１４における係合レール部１４ａの前端部が、支持ガイドレール１３の前端部に形成された規制用上延部１３ｂの背面部分に当接して位置規制され、この結果、中間商品収納部１７Ｂや後側商品収納部１７Ｃも前方へ移動できないので、これら各商品収納部１７の前方への移動が阻止される。
【００３８】
また、運搬時の振動等により、自動販売機に対して前後方向に力が作用して、各商品収納部１７の少なくとも１つが後方に移動しようとした場合でも、後側商品収納部１７Ｃの側板１４におけるこの係合レール部１４ａの後端部が、支持ガイドレール１３の後端部に形成された規制用補助上延部１３ｃの前面部分（または、自動販売機本体２（内箱８）の背面部）に当接して位置規制され、この結果、中間商品収納部１７Ｂや前側商品収納部１７Ａも前方へ移動できないので、前記後方への移動が阻止される。
【００３９】
上記のように本発明によれば、側板１４における商品収納部１７同士が隣接する辺の箇所に、前後方向に凹凸となって互いに嵌り合う凹部１７ａ’、１７ａと凸部１７ｂとを形成しただけの簡単な構成であるので、支持ガイドレール１３に沿って、前後方向に複数並べられて配設された商品収納部１７を順に導入させるだけで、側板１４に形成された凹部１７ａ’、１７ａと凸部１７ｂとが互いに嵌りあって、商品収納部１４同士の位置規制（位置決め）を容易かつ良好に行うことができる。また、運搬時等でも、前側商品収納部１７Ａの側板１４を固定ねじ１９などの固定用部品でケース結合部材２０に固定することにより、容易にかつ能率的に各商品収納部１７を固定できる。
【００４０】
この場合に、固定ねじ１９などの固定用部品は前側の商品収納部１７Ａの側板１４に対して取り付けるので、従来のように奥側の箇所で作業を要する場合と比較して、固定用部品の取り付け動作を容易に行うことができて、その際の手間や時間も最小限に済ますことができ、一層、作業能率が良好である。
【００４１】
さらに、上記構成によれば、側板１４に１７ａ’、１７ａと凸部１７ｂとを形成し、他の部品としては固定ねじ１９などの１つの固定用部品およびケース結合部材２０を要するだけなので、製造コストの増加も最小限に抑えられる。なお、前側商品収納部１７Ａの側板１４が、内箱７の側壁に近接する場所では、ケース結合部材２０の代わりに内箱７の側壁に直接固定するよう構成してもよい。
【００４２】
また、上記構成によれば、支持ガイドレール１３の前端部に規制用上延部１３ｂを形成したので、商品収納部１７が前方に移動することを良好に規制することができながら、中間商品収納部１７Ｂの側板１４における前辺部に形成された凹部１７ａ’の上面部分と、この凹部１７ａ’内に嵌り合う凸部１７ｂの上面部分との間に、支持ガイドレール１３の前端部に形成された規制用上延部１３ｂの乗り越え代（寸法Ｌ１）よりも少しだけ大きい上下方向の隙間１８を形成したことにより、前側商品収納部１７Ａを、規制用上延部１３ｂを乗り越えさせながら導入させた際でも、支障無く、前記凹部１７ａ’と凸部１７ｂとを良好に嵌り合わせることができる。なお、この後、前側商品収納部１７Ａをその係合レール部１４ａが支持ガイドレール１３の摺動部１３ａに係合するように規制用上延部１３ｂを越えて奥側に落とし込むことで、各商品収納部１７が前方に移動することを良好に規制できる。
【００４３】
なお、上記実施の形態では、中間商品収納部１７Ｂの側板１４における前辺部の上下３箇所に形成された凹部１７ａ’が、これに対応する前側商品収納部１７Ａの側板１４における後辺部の凸部１７ｂよりも、上方に隙間１８を有するように大きく形成されている場合（すなわち、図５に示すように、各商品収納部１７を正規位置に収納した場合に、中間商品収納部１７Ｂの側板１４における前辺部の上面と前側商品収納部１７Ａの側板１４における後辺部の凸部１７ｂの上面との間に隙間１８が形成されるよう構成した場合）を述べたが、これに限るものではない。すなわち、これに代えて、図７に示すように、前側商品収納部１７Ａの側板１４における後辺部に凹部１７ａ’を形成するとともに、これに対応して中間商品収納部１７Ｂの側板１４における前辺部に凸部１７ｂを形成し、各商品収納部１７を正規位置に収納した場合に、中間商品収納部１７Ｂの側板１４における前辺部の下面と前側商品収納部１７Ａの側板１４における後辺部の凸部１７ｂの下面との間に、支持ガイドレール１３の前端部に形成された規制用上延部１３ｂの乗り越え代（寸法Ｌ１：図４参照）よりも少しだけ大きい寸法Ｌ２（図５参照）の上下方向の隙間１８が形成されるよう構成してもよい。
【００４４】
この構成によっても、後側商品収納部１７Ｃおよび中間商品収納部１７Ｂを支持ガイドレール１３に沿って正規位置まで収納した後に、前側商品収納部１７Ａを、その側板１４の係合レール部１４ａが、支持ガイドレール１３の前端部の規制用上延部１３ｂを乗り越えるようにしながら、奥側に移動させた際でも、図８に示すように、前記隙間１８によって、中間商品収納部１７Ｂの側板１４における前辺部に形成された凸部１７ｂと、前側商品収納部１７Ａの側板１４における後辺部に形成された凹部１７ａ’とが、支障無く良好に嵌り込み、さらに、前側商品収納部１７Ａを、その係合レール部１４ａが規制用上延部１３ｂを越えるまで正規位置に移動させることで、この係合レール部１４ａが、支持ガイドレール１３の摺動部１３ａ上に落とし込まれる。そして、図７に示すように、前側商品収納部１７Ａの側板１４における後辺部に形成された凹部１７ａ’の上面部の傾斜面１７ｅが、中間商品収納部１７Ｂの側板１４における前辺部に形成された凸部１７ｂの上面部の傾斜面１７ｆに、当接または極めて近接した状態で、凹部１７ａ’内に凸部１７ｂが嵌め合わされ、この結果、中間商品収納部１７Ｂおよび後側商品収納部１７Ｃが位置規制されて上方に浮き上がることが阻止される。
【００４５】
また、上記実施の形態では、商品収納部１７の側面を形成する左右の側板１４の両方とも凹部１７ａ’、１７ａと凸部１７ｂとを形成した場合を述べ、これによれば、極めて良好に位置規制（位置決め）できるが、これに限るものではなく、左右の側板１４における一方の側板１４だけに凹部１７ａ’、１７ａと凸部１７ｂとを形成しても位置規制（位置決め）可能である。
【図面の簡単な説明】
【００４６】
【図１】本発明の実施の形態に係る自動販売機の側面断面図である。
【図２】同自動販売機の前面扉および内扉を開けた状態の斜視図である。
【図３】同自動販売機の商品収納部の側面断面図である。
【図４】同自動販売機の支持ガイドレールと係合レールとの要部斜視図である。
【図５】同自動販売機の商品収納ユニットおよびその近傍箇所の側面図である。
【図６】同自動販売機の商品収納部を組付ける途中の状態を示す側面図である。
【図７】本発明の他の実施の形態に係る自動販売機の商品収納ユニットおよびその近傍箇所の側面図である。
【図８】同他の実施の形態に係る自動販売機の商品収納部を組付ける途中の状態を示す側面図である。
【図９】従来の自動販売機の商品収納装置の側面断面図である。
【符号の説明】
【００４７】
１        前面扉
２        自動販売機本体
３        商品
５        収納搬送路
６        傾斜導入路
７        商品収納ユニット
８        内箱（ケース部）
１３      支持ガイドレール
１３ａ    摺動部
１３ｂ    規制用上延部
１４      側板
１４ａ    係合レール部
１７      商品収納部
１７Ａ    前側商品収納部
１７Ｂ    中間商品収納部
１７Ｃ    後側商品収納部
１７ａ、１７ａ’    凹部
１７ｂ    凸部
１８    隙間
１９    固定ねじ（固定用部品）
２０    ケース結合部材
【図１】
2008257480.tif 000003
【図２】
2008257480.tif 000004
【図３】
2008257480.tif 000005
【図４】
2008257480.tif 000006
【図５】
2008257480.tif 000007
【図６】
2008257480.tif 000008
【図７】
2008257480.tif 000009
【図８】
2008257480.tif 000010
【図９】
2008257480.tif 000011